(57)【要約】【課題】機構を簡素化するとともに胴の剛性を低下させることなく、ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、ブランケット又は刷版のくわえ尻側１１ｂの先端に設けられた引っ掛け部１１ｃと、拘束溝２１内に設けられ、引っ掛け部１１ｃが引っ掛けられる引っ掛け受部２２と、拘束溝２１内に挿入され、引っ掛け部１１ｃが引っ掛け受部２２に引っ掛けられた部分に位置する拘束部材３０とを備える。【選択図】図１
0003153245.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
ブランケット又は刷版のくわえ尻側の先端に設けられた引っ掛け部と、
前記拘束溝内に設けられ、前記引っ掛け部が引っ掛けられる引っ掛け受部と、
前記拘束溝内に挿入され、前記引っ掛け部が前記引っ掛け受部に引っ掛けられた部分に位置する拘束部材とを備えたブランケット又は刷版の固定装置。
【請求項２】
前記引っ掛け部が、ブランケット又は刷版のくわえ尻側の先端を全長にわたって折り曲げて形成されたものである請求項１に記載のブランケット又は刷版の固定装置。
【請求項３】
前記拘束部材が、前記拘束溝の胴軸方向全長にわたって挿入される紐状体からなる請求項１又は２に記載のブランケット又は刷版の固定装置。
【請求項４】
前記拘束部材が、前記拘束溝の胴軸方向全長にわたって挿入される拘束板と、この拘束板の上面の全長にわたって引っ掛けられ、前記拘束板が拘束溝から抜けないように拘束する紐状体とからなる請求項１又は２に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実するための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、ブランケット又は刷版のくわえ尻側の先端に設けられた引っ掛け部と、前記拘束溝内に設けられ、前記引っ掛け部が引っ掛けられる引っ掛け受部と、前記拘束溝内に挿入され、前記引っ掛け部が前記引っ掛け受部に引っ掛けられた部分に位置する拘束部材とを備えたものである。
【０００８】
なお、本考案において、「胴」とはブランケット胴及び版胴を総称するものである。
【考案の効果】
【０００９】
本考案によれば、ブランケット又は刷版のくわえ尻側の先端に設けた引っ掛け部を拘束溝内に設けた引っ掛け受部に引っ掛けて、さらにその引っ掛け部分を拘束部材で拘束するので、機構を簡素化するとともに胴の剛性を低下させることなく、ブランケット又は刷版をより確実に固定できる。
【図面の簡単な説明】
【００１０】
【図１】本考案の第１実施例を示す断面図である。
【図２】本考案で使用する引張装置の一例を示し、（ａ）は平面図、（ｂ）は側面図、（ｃ）は斜視図である。
【図３】引張装置の他の例を示し、（ａ）は平面図、（ｂ）は側面図、（ｃ）は斜視図である。
【図４】本考案の第２実施例を示す断面図である。
【図５】本考案の第２実施例における拘束部材の構成を示す。
【考案を実施するための形態】
【００１１】
以下、図面に示す実施例に基づき本考案の実施の形態を説明する。
【実施例１】
【００１２】
図１は、本考案の第１実施例を示す断面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
ブランケット１０のくわえ尻側１１ｂには、その先端を全長にわたって折り曲げることにより、引っ掛け部１１ｃが設けられている。また、拘束溝２１内には、引っ掛け部１１ｃが引っ掛けられる引っ掛け受部２２が設けられている。この引っ掛け受け部２２は、拘束溝２１内に、挿入部材２３を、その下端面と拘束溝２１の底面との間に引っ掛け部１１ｃを挿入可能なだけの隙間が生じるように挿入することで形成される。挿入部材２３は、固定部材２４によって拘束溝２１の側壁に固定される。そして、固定部材２４を装着するために、ブランケット胴２０には挿入孔２５が開けられ、固定部材２４を装着後、挿入孔２５には充填部材２６が充填される。なお、拘束溝２１の側壁を加工することにより、引っ掛け受部２２を設けることもでき、この場合、挿入部材２３、挿入孔２５及び充填部材２６は不要となる。
【００１５】
引っ掛け部１１ｃが引っ掛け受部２２に引っ掛けられた状態で、くわえ側１１ａとくわえ尻側１１ｂとの間には、拘束部材として紐状体３０が位置している。紐状体３０としては、ワイヤ、ピアノ線等が挙げられ、これらに樹脂を被覆したものでもよい。紐状体３０は拘束溝２１の胴軸方向全長にわたって挿入されており、その一端が固定され、他端が引張装置に接続されている。これによって紐状体３０には張力が付加され、紐状体３０は、拘束溝２１の底面に位置するとともに、引っ掛け部１１ｃが引っ掛け受部２２から外れないように引っ掛け部１１ｃを押圧し拘束する。したがって、引っ掛け部１１ｃが引っ掛け受部２２に確実に引っ掛かり、その結果、ブランケット１０がブランケット胴２０に確実に固定される。なお、紐状体３０の両端を引張装置に接続してもよい。
【００１６】
図２は、引張装置の一例を示し、（ａ）は平面図、（ｂ）は側面図、（ｃ）は斜視図である。同図に示す引張装置５０は、ブランケット胴２０の軸に設けられ、紐状体３０をドラム５１に巻き付けている。ドラム５１は架台５２に回転可能に支持されている。また、ドラム５１には六角ナットからなる操作部５３が固定されており、操作部５３に例えば六角レンチを嵌め込んで回転させることにより、ドラム５１を回転させるようにしている。ドラム５１を時計回りに回転させることで、紐状体３０がドラム５１に巻き取られ、紐状体３０に張力が付加される。
【００１７】
引張装置５０は、つめ５４とつめ車５５とからなるラチェット駆動機構を備えている。つめ車５５はドラム５１に固定されており、つめ５４がつめ車５５に噛み合っている状態では、つめ車５５及びドラム５１は、時計回り方向（紐状体３０を巻き取る方向）にのみ回転可能である。つめ５４とつめ車５５の噛み合いを解除すると、つめ車５５及びドラム５１はいずれの方向にも回転可能となり、紐状体３０への張力の付加を解除できる。
【００１８】
図３は、引張装置の他の例を示し、（ａ）は平面図、（ｂ）は側面図、（ｃ）は斜視図である。同図に示す引張装置６０では、ブランケット胴２０の軸に設けた一対の架台６１，６１間に、支持軸６２ａと支持スリーブ６２ｂとが一体化された支持部材６２が支持軸６２ａの軸線周りに回転可能に装着されている。なお、図３（ｃ）では一対の架台６１，６１のうち、一方を省略して示している。
【００１９】
支持部材６２には、支持軸６２ａの軸線方向と直交する方向に貫通孔６２ｃが開けられており、貫通孔６２ｃに作動部材６３が挿通されている。作動部材６３の先端に紐状体３０が固定されており、作動部材６３の外周面には雄ねじが形成されている。そして、作動部材６３の雄ねじにナット６４が、支持部材６２の支持スリーブ６２ｂと対向するように螺合されている。したがって、ナット６４を締め付ける方向に回転させると作動部材６３を介して紐状体３０に張力が付加され、ナット６４を緩める方向に回転させると、紐状体３０への張力の付加を解除できる。
【実施例２】
【００２０】
図４は、本考案の第２実施例を示す断面図である。第１実施例では、挿入部材２３の下端面と拘束溝２１の底面との間に引っ掛け部１１ｃを挿入可能なだけの隙間を設けたが、本実施例ではその隙間を大きく形成している。そのため、紐状体３０だけでは引っ掛け部１１ｃが引っ掛け受け部２２から外れる恐れがある。よって本実施例では、拘束部材として紐状体３０と拘束板４０を組み合わせて使用している。
【００２１】
拘束板４０は、拘束溝２１の胴軸方向全長にわたって挿入され、この拘束板４０の上面の全長にわたって紐状体３０が引っ掛けられている。具体的には、図５に示すように、拘束板４０の上面を上に凸の円弧状（図５（ａ））あるいは略直線状（図５（ｂ））に形成し、その上面に紐状体３０を引っ掛ける。
【００２２】
紐状体３０は、その一端が固定され、他端が図２及び図３で示したような引張装置に接続されている。これによって紐状体３０には張力が付加され、拘束板４０が拘束溝２１から抜けないように確実に拘束されるとともに、拘束板４０が、引っ掛け部１１ｃが引っ掛け受部２２から外れないように引っ掛け部１１ｃを押圧し拘束する。したがって、引っ掛け部１１ｃが引っ掛け受部２２に確実に引っ掛かり、その結果、ブランケット１０がブランケット胴２０に確実に固定される。なお、紐状体３０の両端を引張装置に接続してもよい。
【００２３】
以上の実施例の図面では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、ブランケット胴の両端側には図２及び図３に示したような引張装置を設け、ブランケット胴の中央側には、例えば拘束溝よりもやや大きな凹部を形成し、この凹部に端部を太くした紐状体を引っ掛けるようにして、紐状体の端部を固定する。
【００２４】
また、以上の実施例では、ブランケットを固定する場合について説明したが、刷版も同様に固定できることは自明である。
【符号の説明】
【００２５】
１０  ブランケット
１１  金属板
１１ａ  くわえ側
１１ｂ  くわえ尻側
１１ｃ  引っ掛け部
１２  ブランケットシート
２０  ブランケット胴
２１  拘束溝
２２  引っ掛け受部
２３  挿入部材
２４  固定部材
２５  挿入孔
２６  充填部材
３０  紐状体
４０  拘束板
５０  引張装置
５１  ドラム
５２  架台
５３  操作部
５４  つめ
５５  つめ車
６０  引張装置
６１  架台
６２  支持部材
６２ａ  支持軸
６２ｂ  支持スリーブ
６３  作動部材
６４  ナット
【図１】
0003153245.tif 000003
【図２】
0003153245.tif 000004
【図３】
0003153245.tif 000005
【図４】
0003153245.tif 000006
【図５】
0003153245.tif 000007